(57)【要約】留置性大便導出器であって、円筒状本体７内にはスクリューコンベヤ９が設けられており、スクリューコンベヤ９の後端は、フレキシブルシャフト１６に接続されている。円筒状本体７の前端は花弁状可動羽根２にヒンジ接続されており、閉じられた際には花蕾１状を呈する。円筒状本体７の外壁にはバンド４が設けられており、円筒状本体７内には可動羽根２を広げて花１５状の開放空間が形成されるように摺動リング８が設けられており、円筒状本体７の後部は下側に向けて排便フレキシブルチューブ１３が接続されている。使用する際、前端の花蕾１の部分を肛門に挿入すれば、バンド４が挿入する深さを制限し、花蕾１を広げると、導出器は肛門内に固定される。フレキシブルシャフト１６を介してスクリューコンベヤ９の回転を駆動すれば、大便を導出できる。導出器は駆動機構１８により、フレキシブルシャフト１６を介して遠隔で駆動されるため、フレキシブルシャフト１６よりも前側の部分の体積を小さくし、重さを軽くすることができ、肛門および直腸に対する損傷をなくすことができ、肛門内外に埋め込みおよび留置する操作はいずれも非常に簡単であり、大便失禁または自力排便能力を喪失した寝たきり患者の排便問題を効果的に解決できる。【選択図】図１
2019526312.tif 000002
【特許請求の範囲】
【請求項１】
留置性大便導出器であって、円筒状本体内にはスクリューコンベヤが設けられており、
スクリューコンベヤの後端は、円筒状本体の後部壁を貫通しており、かつフレキシブルシャフトインターフェースが設けられており、フレキシブルシャフトインターフェースはフレキシブルシャフトの一端に接続されており、フレキシブルシャフトの他端は肛門から遠ざけている駆動機構に接続されており、
円筒状本体内には摺動リングが設けられており、円筒状本体の外壁の前端から後方側に離れた位置にはバンドが設けられており、円筒状本体の前端には円筒状本体の前端と可動となるようにヒンジ接続された複数の花弁状可動羽根が設置されており、花弁状可動羽根は、閉じられた際には花蕾状を呈し、
摺動リングは、前側に位置する際には花弁状可動羽根の後端と接触しており、両者の間の接触面は、花弁状羽根を広げて開放式花状を形成できる互いに補う斜面または曲面であり、広げられた後の花弁状可動羽根の内側に向ける一面は、開放式花状の開放空間を形成しており、スクリューコンベヤの前端は、開放空間内に位置されており、開放式花状の直腸壁に向けた一面は外径が円筒状本体の外径よりも大きい半球状曲面を形成しており、該半球状曲面は前記バンドとともに円筒状本体を中心とする挟持空間を形成することにより肛門内外から肛門括約筋を挟持しており、
円筒状本体の後部は下側に向けて排便フレキシブルチューブが接続されている、
ことを特徴とする留置性大便導出器。
【請求項２】
前記花弁状可動羽根は網状構造である、ことを特徴とする請求項１に記載の留置性大便導出器。
【請求項３】
前記円筒状本体内には摺動リングが設けられており、その外壁にはテーパシャンクが設けられており、テーパシャンクは円筒状本体を貫通しており、位置決め部品により位置決めされている、ことを特徴とする請求項１または２に記載の留置性大便導出器。
【請求項４】
前記円筒状本体と摺動部品との間に液体配管が設けられており、液体配管の後端は円筒状本体を貫通しており、前端は花弁状可動羽根が広げられ後のキャビティ内に開口されており、液体配管の後端は液体注入口に接続されている、ことを特徴とする請求項１〜３のいずれか一項に記載の留置性大便導出器。
【発明の詳細な説明】
【技術分野】
【０００１】
本発明は介護用具に関し、留置性大便導出器に関する。
【背景技術】
【０００２】
大便失禁または自力排便能力の喪失は、障害のある高齢者の間でよくみられることである。大便失禁に対する現在の一般的な対処方法は紙おむつを着用させることであるが、紙おむつによる人体の不潔はいうまでもない。また、排便後に体を拭くおよび洗うことは人により完成せざるをえないため、汚れや臭いにより一部の介護者に嫌われ、介護作業が難しい。当然ながら、紙おむつを使用することは、まずは身体障害者の自尊心を傷つける。紙おむつを使用するため、意識がはっきりしている一部の身体障害者は、食事を控えることにより排便を減少しており、健康レベルの面で影響を受けている。また、心理的ストレスも健康状況に直接影響を与える。さらに、一部の身体障害者、特に知的障害者は排便能力を喪失し、特に大便排出能力を喪失しているため、この場合は、人により排便を介助せざるをえなく、一般的なやり方としては、介護者が指を肛門に入れて大便を取り出すことになる。
【０００３】
現在、臨床上においても、ひいてはかねてからの国内外の医療機器展示会においても自力排便意識のないものおよび大便失禁のものの随時排便を直接介助可能な機器がなく、単に排便した後にセンシング情報を受信する機器が多数あるだけである。仮に糞便を処理する機器があるとしても、これらの機器は高度密封を要求するため、機器と皮膚とが接触する箇所における皮膚が爛れてしまう。
【０００４】
米国特許ＵＳ５０００７５０Ａの糞便詰まりを治療する装置および中国実用新案ＣＮ２０１９４９０５４Ｕの便秘用排便補助機器のような関連技術文献によれば、国内外においても大便導出装置に関する出願があるが、いずれも機器の前部が直腸に入って糞便を取り、後部が駆動機構であり、前部と後部とは剛性連結されているとの共通の特徴を有する。明らかに、剛性連結された駆動部分の重さおよび作動中の振動は肛門のような筋肉組織が耐えられないものである。また、どのようにすれば直腸内部の複雑な構造とスクリューコンベヤとの接触を防ぎながら、糞便とスクリューコンベヤとを接触させるかも解決しなければならない問題である。
【０００５】
明らかに、身体障害で寝たきりの大便失禁者および自力による排便能力のない者に対して、留置可能な大便導出器は至急に必要なものである。
【発明の概要】
【発明が解決しようとする課題】
【０００６】
本発明は上記問題に鑑みてなされたものであって、肛門内外に留置しやすく、直腸を効果的に保護でき、駆動機械の重さおよび駆動機械の作動中の振動を肛門に負担させることなく、さらにコントローラにより大便導出作業プロセスを設計できる留置性大便導出器を提供することを目的とする。
【課題を解決するための手段】
【０００７】
上記目的を達成するための本発明に係る留置性大便導出器であって、円筒状本体内にはスクリューコンベヤが設けられており、
スクリューコンベヤの後端は、円筒状本体の後部壁を貫通しており、かつフレキシブルシャフトインターフェースが設けられており、フレキシブルシャフトインターフェースはフレキシブルシャフトの一端に接続されており、フレキシブルシャフトの他端は肛門から遠ざけている駆動機構に接続されており、
円筒状本体内には摺動リングが設けられており、円筒状本体の外壁の前端から後方側に離れた位置にはバンドが設けられており、円筒状本体の前端には円筒状本体の前端と可動となるようにヒンジ接続された複数の花弁状可動羽根が設置されており、花弁状可動羽根は、閉じられた際には花蕾状を呈し、
摺動リングは、前側に位置する際には花弁状可動羽根の後端と接触しており、両者の間の接触面は、花弁状羽根を十分に広げて開放式花状を形成できる互いに補う斜面または曲面であり、広げられた後の花弁状可動羽根の内側に向ける一面側は、開放式花状の開放空間を形成しており、スクリューコンベヤの前端は、開放空間内に位置されており、開放式花状の直腸壁に向けた一面は外径が円筒状本体の外径よりも大きい半球状曲面を形成しており、該半球状曲面は前記バンドとともに円筒状本体を中心とする挟持空間を形成することにより肛門内外から肛門括約筋を挟持しており、
円筒状本体の後部は下側に向けて排便フレキシブルチューブが接続されている。
【０００８】
前記花弁状可動羽根は網状構造である。
【０００９】
前記円筒状本体内には摺動リングが設けられており、その外壁にはテーパシャンクが設けられており、テーパシャンクは円筒状本体を貫通しており、位置決め部品により位置決めされている。
【００１０】
前記円筒状本体と摺動部品との間に液体配管が設けられており、液体配管の後端は円筒状本体を貫通しており、前端は花蕾状のキャビティ内に開口されており、液体配管の後端は液体注入口に接続されている。
【００１１】
留置性大便導出器であって、円筒状本体内にはスクリューコンベヤが設けられており、スクリューコンベヤの後端は、円筒状本体の後部壁を貫通しており、かつフレキシブルシャフトインターフェースが設けられており、フレキシブルシャフトインターフェースはフレキシブルシャフトの一端に接続されており、フレキシブルシャフトの他端は肛門から遠ざけている駆動機構に接続されており、円筒状本体内には摺動リングが設けられており、円筒状本体の外壁の前端から後方側に離れた位置にはバンドが設けられており、円筒状本体の前端には円筒状本体の前端と可動となるようにヒンジ接続された複数の花弁状可動羽根が設置されており、花弁状可動羽根は、閉じられた際には花蕾状を呈し、蕾状の前端は次元を有する曲面であり、大便を導出する際、より肛門に入りやすくなり、摺動リングは、前側に位置する際には花弁状可動羽根の後端とを接触し、両者の間の接触面は、花弁状羽根を十分に広げて開放式花状を形成できる互いに補う斜面または曲面であり、広げられた後の花弁状可動羽根の内側に向ける一面は、開放式花状の開放空間を形成しており、スクリューコンベヤの前端は、円筒状本体の前端から花弁状可動羽根が広げられた後に形成された花状の開放空間内に位置するため、スクリューコンベヤと直腸壁との接触を効果的に防止でき、直腸壁に向けた一面は外径が円筒状本体の外径よりも大きい半球状曲面を形成するため、より直腸を保護できる。また、該半球状曲面は前記バンドとともに円筒状本体を中心とする挟持空間を形成することにより肛門内外から肛門括約筋を挟持するため、留置性大便導出器の前端が無制限に直腸に進入することを防止するとともに、留置する必要である際に肛門から滑り出すことも予防でき、円筒状本体の後部は下側に向けて排便フレキシブルチューブが接続されている。
【００１２】
フレキシブルシャフトを介してスクリューコンベヤに接続されているため、駆動機構を肛門から遠ざけることができ、したがって、糞便を取る部分の構造は肛門に挿入されやすく、かつ挿入後の固定も便利であり、その重さも軽減され、フレキシブルシャフトは回転動力を伝動するだけで、動力機械の作動中に生成する振動は伝導しないため、動力機構の作動中に生成する振動による肛門および直腸に対する可能な損傷を効果的に防止する。
【００１３】
花弁状可動羽根は網状構造であってもよく、これにより開放式花の背面と直腸との間の糞便が開放式花の内部に入って排出されることが便利になる。
【００１４】
円筒状本体内には摺動リングが設けられており、その外壁にはテーパシャンクが設けられており、テーパシャンクは、円筒状本体を貫通しており、位置決め部品により位置決めされている。
【００１５】
円筒状本体と摺動部品との間には液体配管が設けられてもよく、液体配管の後端は、円筒状本体を貫通しており、前端は花弁状可動羽根が広げられた後のキャビティ内に開口されており、配管の後端は液体注入口に接続されている。
【００１６】
使用する際、留置性大便導出器の前端の花蕾を肛門に挿入すれば、バンドは挿入する深さを制限し、円筒状本体外部のテーパシャンクを付勢して固定し、摺動リングの前端は花弁状可動羽根の後端を付勢し、花弁状可動羽根が軸を中心に回転すれば、花蕾部分が開かれ、留置性大便導出器は肛門内に固定され、留置性大便導出器の円筒状本体外側のスクリューコンベヤのフレキシブルシャフトインターフェースにフレキシブルシャフトが接続されているため、フレキシブルシャフトを駆動するとスクリューコンベヤは回動して糞便を導出でき、必要に応じて液体配管から温水またはその他の潤滑剤を噴入することも糞便の導出に有益である。
【００１７】
大便失禁者にとって大便導出器の留置は介護作業において非常に重要であり、駆動機構制御システムの作用の下、スクリューコンベヤの定時稼働は大便失禁により下着およびベッドが汚れることや介護の作業量を増やすことを完全に予防できる。排便能力を喪失した身体障害者にとって、留置は大便導出器の抜き差し回数を低減できる。
【発明の効果】
【００１８】
本発明の留置性大便導出器によれば、フレキシブルシャフトを介して円筒状本体内部のスクリューコンベヤを遠隔駆動するため、肛門内外に留置される導出器の体積を小さくし、重さを軽くするだけでなく、さらに重要なのはフレキシブルシャフトは回転動力を伝動するのみであり、動力機械の作動中に生成する振動を伝導しないため、動力機械の作動中に生成する振動による肛門および直腸に対する損傷することを完全に防止する。該留置性大便導出器は構造的な面において留置しやすく、肛門および直腸を損傷しないことを保証し、フレキシブルシャフトよりも前側の部分のコストも低く、使い捨てが可能である。該留置性大便導出器を肛門内外に埋め込みおよび留置する操作は簡単である。大便失禁または排便能力を喪失した寝たきり患者、特に障害のある高齢者の大便処理問題を解決することができ、患者の衛生度および快適度を向上させ、介護の作業量を低減する。
【図面の簡単な説明】
【００１９】
【図１】前部羽根が閉じられた状態である際の留置性大便導出器の構造を示す図である。
【図２】前部羽根が開いた状態である際の留置性大便導出器の構造を示す図である。
【発明を実施するための形態】
【００２０】
図１、２に示すように、本発明の第一実施形態に係る留置性大便導出器であって、円筒状本体７内にはスクリューコンベヤ９が設けられている。スクリューコンベヤ９の後端は、円筒状本体７の後部壁を貫通しており、かつフレキシブルシャフトインターフェース１１が設けられている。フレキシブルシャフトインターフェース１１はフレキシブルシャフト１６の一端に接続されており、フレキシブルシャフト１６の他端は肛門から遠ざけている駆動機構１８に接続されている。円筒状本体７内には摺動リング８が設けられており、円筒状本体７の外壁の前端から後方側に離れた位置にはバンド４が設けられている。円筒状本体７の前端には円筒状本体７の前端と可動となるようにヒンジ接続された複数の花弁状可動羽根２が設置されている。花弁状可動羽根２は、閉じられた際には花蕾１状を呈し、花蕾１状の前端が次元を有する曲面であるため、大便を導出する際、より肛門に入りやすくなる。摺動リング８は、前側に位置する際には花弁状可動羽根２の後端と接触し、両者の間の接触面は、花弁状羽根２を十分に広げて開放式花１５状を形成できる互いに補う斜面または曲面である。広げられた後の花弁状可動羽根２の内側に向ける一面は、開放式花１５状の空間を形成する。スクリューコンベヤ９の前端は、円筒状本体７の前端から花弁状可動羽根２が広げられた後に形成された開放式花１５状の空間内に位置するため、スクリューコンベヤ９と直腸壁との接触を効果的に防止できる。可動羽根２が広げられた後に形成された開放式花１５状の直腸壁に向けた一面は外径が円筒状本体７の外径よりも大きい半球状曲面１９を形成するため、より直腸を保護できる。また、該半球状曲面１９は上記バンド４とともに円筒状本体７を中心とする挟持空間を形成することにより肛門内外から肛門括約筋を挟持するため、留置性大便導出器の前端が無制限に直腸に進入することを効果的に防止するとともに、留置が必要である際に肛門から滑り出すことも予防する。円筒状本体７の後部は下側に向けて排便フレキシブルチューブ１３が接続されている。
【００２１】
フレキシブルシャフト１６を介してスクリューコンベヤ９に接続されているため、駆動機構１８を肛門から遠ざけることができる。したがって、糞便を取る部分の構造は肛門に挿入されやすく、かつ挿入後の固定も便利である。また、その重さも軽減される。フレキシブルシャフト１６は回転動力を伝動するだけで、動力機械の作動中に生成する振動を伝導しないため、動力機構の作動中に生成する振動による肛門および直腸に対する損傷を効果的に防止する。
【００２２】
花弁状可動羽根２は網状構造であってもよく、これにより開放式花１５状の背面と直腸との間の糞便が開放式花の内部に入って排出されることが便利になる。
【００２３】
円筒状本体７内には摺動リング８が設けられており、その外壁にはテーパシャンク５が設けられている。テーパシャンク５は、円筒状本体７を貫通し、位置決め部品６により位置決めされる。
【００２４】
円筒状本体７と摺動リング８との間には液体配管３が設けられてもよい。配管３の後端は、円筒状本体７を貫通し、前端は花弁状可動羽根２が広げられた後のキャビティ内に開口され、配管３の後端は液体注入口１０に接続されている。
【００２５】
使用する際、留置性大便導出器の前端の花蕾１を肛門に挿入すれば、バンド４は挿入する深さを制限する。円筒状本体７外部のテーパシャンク５を付勢して固定し、摺動リング８の前端は花弁状可動羽根２の後端を付勢し、花弁状可動羽根２が軸１２を中心に回動すれば、花蕾１部分が開かれ、留置性大便導出器は肛門内に固定される。留置性大便導出器の円筒状本体７外側のスクリューコンベヤのフレキシブルシャフトインターフェース１１にフレキシブルシャフト１６が接続されているため、フレキシブルシャフト１６を駆動するとスクリューコンベヤ９が回動して大便を導出でき、必要に応じて液体配管３から温水またはその他の潤滑剤を噴入することも大便の導出に有益である。
【００２６】
大便失禁者にとって大便導出器の留置は介護作業において非常に重要であり、駆動機構制御システムの作用の下、スクリューコンベヤ９の定時可動は大便失禁により下着およびベッドが汚れることや介護の作業量を増やすことを完全に予防できる。排便能力を喪失した身体障害者にとって、留置は大便導出器の抜き差し回数を低減できる。
【００２７】
図１、２に示すように、本発明の第一実施形態に係る留置性大便導出器であって、円筒状本体７内にはスクリューコンベヤ９が設けられている。スクリューコンベヤ９の後端は、円筒状本体７の後部壁を貫通しており、かつフレキシブルシャフトインターフェース１１が設けられている。フレキシブルシャフトインターフェース１１はフレキシブルシャフト１６の一端に接続されており、フレキシブルシャフト１６の他端は肛門から遠ざけている駆動機構１８に接続されている。円筒状本体７内には摺動リング８が設けられており、円筒状本体７の外壁の前端から後方側に離れた位置にはバンド４が設けられている。円筒状本体７の前端には円筒状本体７の前端と可動となるようにヒンジ接続された複数の花弁状可動羽根２が設置されている。花弁状可動羽根２は、閉じられた際には花蕾１状を呈し、花蕾１状の前端が次元を有する曲面であるため、大便を導出する際、より肛門に入りやすくなる。摺動リング８は、前側に位置する際には花弁状可動羽根２の後端と接触し、両者の間の接触面は、花弁状羽根２を十分に広げて開放式花１５状を形成できる互いに補う斜面または曲面である。広げられた後の花弁状可動羽根２の内側に向ける一面は、開放式花１５状の空間を形成する。スクリューコンベヤ９の前端は、円筒状本体７の前端から花弁状可動羽根２が広げられた後に形成された開放式花１５状の空間内に位置するため、スクリューコンベヤ９と直腸壁との接触を効果的に防止できる。可動羽根２が広げられた後に形成された開放式花１５状の直腸壁に向けた一面は外径が円筒状本体７の外径よりも大きい半球状曲面１２を形成するため、より直腸を保護できる。また、該半球状曲面１２は上記バンド４とともに円筒状本体７を中心とする挟持層空間を形成することにより肛門内外から肛門括約筋を挟持するため、留置性大便導出器の前端が無制限に直腸に進入することを効果的に防止するとともに、留置が必要である際に肛門から滑り出すことも予防する。円筒状本体７の後部は下側に向けて排便フレキシブルチューブ１３が接続されている。
【００２８】
フレキシブルシャフト１６を介してスクリューコンベヤ９に接続されるため、駆動機構１８を肛門から遠ざけることができる。したがって、糞便を取る部分の構造は肛門に挿入され安く、かつ挿入後の固定も便利である。また、その重さも軽減される。フレキシブルシャフト１６は回転動力を伝動するだけで、動力機械の作動中に生成する振動を伝導しないため、動力機構の作動中に生成する振動による肛門および直腸に対する損傷を効果的に防止する。
【００２９】
花弁状可動羽根２は網状構造であってもよく、これにより開放式花１５状の背面と直腸との間の糞便が開放式花の内部に入って排出されることが便利になる。
【００３０】
円筒状本体７内には摺動リング８が設けられており、その外壁にはテーパシャンク５が設けられている。テーパシャンク５は、円筒状本体７を貫通し、位置決め部品６により位置決めされる。
【００３１】
円筒状本体７と摺動リング８との間には液体配管３が設けられてもよい。配管３の後端は、円筒状本体７を貫通し、前端は花弁状可動羽根２が広げられた後のキャビティ内に開口され、配管３の後端は液体注入口１０に接続されている。
【００３２】
使用する際、留置性大便導出器の前端の花蕾１を肛門に挿入すれば、バンド４は挿入する深さを制限する。円筒状本体７外部のテーパシャンク５を付勢して固定し、摺動リング８の前端は花弁状可動羽根２の後端を付勢し、花弁状可動羽根２が軸１２を中心に回動すれば、花蕾１部分が開かれ、留置性大便導出器は肛門内に固定される。留置性大便導出器の円筒状本体７外側のスクリューコンベヤのフレキシブルシャフトインターフェース１１にフレキシブルシャフト１６が接続されているため、フレキシブルシャフト１６を駆動するとスクリューコンベヤ９が回動して大便を導出でき、必要に応じて液体配管３から温水またはその他の潤滑剤を噴射することも大便の導出に有益である。
【００３３】
大便失禁者にとって大便導出器の留置は介護作業において非常に重要であり、駆動機構制御システムの作用の下、スクリューコンベヤ９の定時作動は大便失禁により下着およびベッドが汚れることや介護の作業量を増やすことを完全に予防できる。排便能力を喪失した身体障害者にとって、留置は大便導出器の抜き差し回数を低減できる。
【００３４】
（産業上利用可能性）
本発明に係る留置性大便導出器はフレキシブルシャフトを介して円筒状本体内部のスクリューコンベヤを遠隔駆動するため、肛門内外に留置された導出器の体積を小さくし、重さを軽くするだけでなく、さらに重要なのはフレキシブルシャフトは回転動力を伝動するのみであり、動力機械の作動中に生成する振動を伝動しないため、動力機械の作動中に生成する振動による肛門および直腸に対する損傷を完全に防止する。
【図１】
2019526312.tif 000003
【図２】
2019526312.tif 000004
【国際調査報告】
2019526312.tif 000005
2019526312.tif 000006
2019526312.tif 000007
2019526312.tif 000008